(57)【要約】【課題】本発明は、三脚台を提供する。【解決手段】前記三脚台は、中心軸、取付台及び支持足を備える。前記中心軸は、前記取付台を貫通して前記取付台に可動的に接続され、前記中心軸は、前記取付台に対して摺動可能であり、前記支持足は、前記取付台に可動的に接続され、前記支持足は、前記取付台に対して回動することで展開または収納可能であり、前記中心軸には、収納溝が設けられ、前記支持足を収納するときには、前記支持足を回動させることで前記支持足を前記収納溝内に収容する。本発明に係る三脚台の支持足が収納時に収納溝内に収容可能であるため、三脚台の体積が大きく減少され、収納および持ち運びが便利になる。【選択図】図１
2020204758.tif 000002
【特許請求の範囲】
【請求項１】
三脚台であって、
前記三脚台は、中心軸、取付台および支持足を備え、
前記中心軸は、前記取付台を貫通して前記取付台に可動的に接続され、前記中心軸は、前記取付台に対して摺動可能であり、前記支持足は、前記取付台に可動的に接続され、前記支持足は、前記取付台に対して回動することで展開または収納可能であり、前記中心軸には、収納溝が設けられ、前記支持足を収納するときには、前記支持足を回動させることで前記支持足を前記収納溝内に収容することを特徴とする三脚台。
【請求項２】
前記取付台は、締め付け輪を更に備え、前記取付台には、取付溝が更に設けられ、前記締め付け輪は、前記取付溝内に収容され、前記中心軸は、前記締め付け輪を貫通し、前記締め付け輪は、前記中心軸の外側に嵌合されていることを特徴とする請求項１に記載の三脚台。
【請求項３】
前記取付台には、前記取付溝に連通する位置制限孔が更に設けられ、前記中心軸は、前記位置制限孔と前記収納溝とを順次貫通することで前記取付台を貫通し、前記位置制限孔は、前記中心軸の回動を規制することを特徴とする請求項２に記載の三脚台。
【請求項４】
前記取付台には、前記取付溝に連通する位置決め孔が更に設けられ、前記取付台は、位置制限柱を更に備え、前記位置制限柱は、前記位置決め孔内に部分的に収容され、
前記位置制限柱を回転させることで前記位置制限柱を前記取付溝内まで延在させ、その際前記位置制限柱が前記締め付け輪を押圧することにより、前記締め付け輪が前記中心軸を締め付けて前記中心軸をロックさせることを特徴とする請求項２に記載の三脚台。
【請求項５】
前記取付台は、取付柱とねじり部とを更に備え、前記取付柱は、前記位置決め孔内に固定取付され、前記位置制限柱は、前記取付柱を貫通して前記取付柱にネジ接続され、前記位置制限柱は、前記締め付け輪の一端から離間して前記ねじり部に固定接続されていることを特徴とする請求項４に記載の三脚台。
【請求項６】
前記取付台は、位置制限板を更に備え、前記位置制限板は、前記取付台に固定取付され、前記中心軸は、前記位置制限板を貫通することを特徴とする請求項１に記載の三脚台。
【請求項７】
前記中心軸は、接続台を更に備え、前記接続台の一端には、位置決め柱が設けられ、前記位置決め柱は、前記中心軸内に収容されて前記中心軸に固定接続され、前記接続台には、ネジと取付穴とが更に設けられていることを特徴とする請求項１に記載の三脚台。
【請求項８】
前記中心軸は、フックと位置決め台とを更に備え、前記位置決め台は、前記中心軸内に部分的に収容されて前記中心軸に固定接続され、前記フックの一端は、前記位置決め台に可動的に接続されていることを特徴とする請求項１に記載の三脚台。
【請求項９】
前記中心軸は、位置決めブロックと接続柱とを更に備え、前記位置決めブロックは、前記位置決め台にネジ接続され、前記位置決めブロックには、位置制限溝が設けられ、前記接続柱は、前記位置制限溝内に収容されて前記位置制限溝に係合され、前記接続柱は、前記位置決め台の一端から離間して前記フックに固定接続されていることを特徴とする請求項８に記載の三脚台。
【請求項１０】
前記支持足は、締め付け部材を更に備え、前記締め付け部材は、前記支持足を貫通した後で前記取付台内まで延在し、前記締め付け部材は、前記取付台に固定接続されていることを特徴とする請求項１に記載の三脚台。
【発明の詳細な説明】
【技術分野】
【０００１】
本発明は、撮影機材分野に関し、特に三脚台に関する。
【背景技術】
【０００２】
中心軸を有する従来の三脚台は、以下の幾つかの欠点を有する。第１に、中心軸が三脚台の取付台を貫通するため、取付台は、十分な強度が保証されるように、相対的に大きく設計されていることが一般的である。これは、中心軸を有する三脚台の体積の増大に繋がり、収納及び持ち運びが不便になる。第２に、三脚台の支持足が収納される際に中心軸に当接するため、支持足が収納された後でも非常に大きな空間を占める。これは、更に、中心軸を有する三脚台の体積の増大に繋がり、収納及び持ち運びが不便になる。第３に、中心軸に設けられるフックが回転不可能であるため、異なる方向の懸架使用の需要を満たすことができない。
【発明の概要】
【発明が解決しようとする課題】
【０００３】
上記問題を解決すべく、本発明は、異形中心軸を有する三脚台を提供する。
【課題を解決するための手段】
【０００４】
本発明は、以下の解決手段によって実現される。
【０００５】
本発明は、三脚台を提供する。前記三脚台は、中心軸、取付台および支持足を備え、前記中心軸は、前記取付台を貫通して前記取付台に可動的に接続され、前記中心軸は、前記取付台に対して摺動可能であり、前記支持足は、前記取付台に可動的に接続され、前記支持足は、前記取付台に対して回動することで展開または収納可能であり、前記中心軸には、収納溝が設けられ、前記支持足を収納するときには、前記支持足を回動させることで前記支持足を前記収納溝内に収容する。
【０００６】
更に、前記取付台は、締め付け輪を更に備え、前記取付台には、取付溝が更に設けられ、前記締め付け輪は、前記取付溝内に収容され、前記中心軸は、前記締め付け輪を貫通し、前記締め付け輪は、前記中心軸の外側に嵌合されている。
【０００７】
更に、前記取付台には、前記取付溝に連通する位置制限孔が更に設けられ、前記中心軸は、前記位置制限孔と前記収納溝とを順次貫通することで前記取付台を貫通し、前記位置制限孔は、前記中心軸の回動を規制する。
【０００８】
更に、前記取付台には、前記取付溝に連通する位置決め孔が更に設けられ、前記取付台は、位置制限柱を更に備え、前記位置制限柱は、前記位置決め孔内に部分的に収容され、前記位置制限柱を回転させることで前記位置制限柱を前記取付溝内まで延在させ、その際前記位置制限柱が前記締め付け輪を押圧することにより、前記締め付け輪が前記中心軸を締め付けて前記中心軸をロックさせる。
【０００９】
更に、前記取付台は、取付柱とねじり部とを更に備え、前記取付柱は、前記位置決め孔内に固定取付され、前記位置制限柱は、前記取付柱を貫通して前記取付柱にネジ接続され、前記位置制限柱は、前記締め付け輪の一端から離間して前記ねじり部に固定接続されている。
【００１０】
更に、前記取付台は、位置制限板を更に備え、前記位置制限板は、前記取付台に固定取付され、前記中心軸は、前記位置制限板を貫通する。
【００１１】
更に、前記中心軸は、接続台を更に備え、前記接続台の一端には、位置決め柱が設けられ、前記位置決め柱は、前記中心軸内に収容されて前記中心軸に固定接続され、前記接続台には、ネジと取付穴とが更に設けられている。
【００１２】
更に、前記中心軸は、フックと位置決め台とを更に備え、前記位置決め台は、前記中心軸内に部分的に収容されて前記中心軸に固定接続され、前記フックの一端は、前記位置決め台に可動的に接続されている。
【００１３】
更に、前記中心軸は、位置決めブロックと接続柱とを更に備え、前記位置決めブロックは、前記位置決め台にネジ接続され、前記位置決めブロックには、位置制限溝が設けられ、前記接続柱は、前記位置制限溝内に収容されて前記位置制限溝に係合され、前記接続柱は、前記位置決め台の一端から離間して前記フックに固定接続されている。
【００１４】
更に、前記支持足は、締め付け部材を更に備え、前記締め付け部材は、前記支持足を貫通した後で前記取付台内まで延在し、前記締め付け部材は、前記取付台に固定接続されている。
【発明の効果】
【００１５】
本発明は、以下の有利な作用効果を有する。
１．本発明に係る三脚台の支持足が収納時に収納溝内に収容可能であるため、三脚台の体積が大きく減少され、収納および持ち運びが便利になる。
２．本発明に係る三脚台の中心軸が「凸」字型を呈し、中心軸の外形により、取付台の体積が減少され、三脚台の体積が大きく減少され、収納および持ち運びが便利になる。
３．本発明に係る三脚台のフックは、自由に回動可能であり、異なる方向の懸架使用需要を満たすことができる。
【図面の簡単な説明】
【００１６】
【図１】本発明の三脚台の斜視図である。
【図２】本発明の三脚台の中心軸の斜視図である。
【図３】本発明の三脚台の接続台の斜視図である。
【図４】本発明の三脚台の中心軸の局所分解図である。
【図５】本発明の三脚台の取付台の分解図である。
【図６】本発明の三脚台の取付台の斜視図である。
【発明を実施するための形態】
【００１７】
本発明の解決手段をより明瞭で完全に説明するために、以下では、図面を組み合わせて本発明を更に説明する。
【００１８】
図１から図６を参照すると、本発明は、三脚台を提供する。前記三脚台は、中心軸１０、取付台２０及び支持足３０を備える。前記中心軸１０は、前記取付台２０を貫通して前記取付台２０に可動的に接続され、前記中心軸１０は、前記取付台２０に対して摺動可能であり、前記支持足３０は、前記取付台２０に可動的に接続され、前記支持足３０は、前記取付台２０に対して回動することで展開または収納可能であり、前記中心軸１０には、収納溝１１が設けられ、前記支持足３０を収納するときには、前記支持足３０を回動させることにより、前記支持足３０を前記収納溝１１内に収容する。
【００１９】
本実施形態では、前記収納溝１１が前記中心軸１０を貫通し、前記収納溝１１の数と前記支持足３０の数とが一致する。前記中心軸１０は、前記取付台２０を貫通して前記取付台２０に可動的に接続され、前記中心軸１０は、前記取付台２０に対して上下に摺動可能であり、実際の使用需要に応じて、前記中心軸１０の前記取付台２０に対する高さを調整可能である。前記三脚台の収納または持ち運びを必要とするときには、前記支持足３０が前記収納溝１１内に部分的に収容されるまで、前記支持足３０を回動させる。前記支持足３０が前記収納溝１１内に部分的に収容されたため、前記三脚台の体積が大きく減少され、前記三脚台が収納された後で占める空間が従来の三脚台に対して一層少なくなり、収納および持ち運びが非常に便利になる。前記中心軸１０は、「凸」字型を呈し、「凸」字型の前記中心軸１０は、前記取付台２０を貫通する。前記中心軸１０が前記取付台２０を占める空間がより少なくなることにより、前記取付台２０の体積は、更に減少される。これにより、前記三脚台の体積が減少され、前記三脚台の収納および持ち運びが非常に便利になる。
【００２０】
更に、前記取付台２０は、締め付け輪２１を更に備え、前記取付台２０には、取付溝２２が更に設けられ、前記締め付け輪２１は、前記取付溝２２内に収容され、前記中心軸１０は、前記締め付け輪２１を貫通し、前記締め付け輪２１は、前記中心軸１０外側に嵌合される。
【００２１】
本実施形態では、前記締め付け輪２１は、前記取付溝２２内に収容され、前記締め付け輪２１が前記取付溝２２を完全に占める。こうして、前記中心軸１０は、前記取付台２０に対して上下に摺動するときに、揺れることはない。
【００２２】
更に、前記取付台２０には、前記取付溝２２に連通する位置制限孔２３が更に設けられ、前記中心軸１０は、前記位置制限孔２３と前記収納溝１１とを順次貫通することで前記取付台２０を貫通し、前記位置制限孔２３は、前記中心軸１０の回動を規制する。
【００２３】
本実施形態では、前記位置制限孔２３の形状と前記中心軸１０の形状とが一致し、前記中心軸１０が前記位置制限孔２３と前記収納溝１１とを順次貫通することで前記取付台２０を貫通し、前記位置制限孔２３が前記中心軸１０の回動を規制する。
【００２４】
更に、前記取付台２０には、前記取付溝２２に連通する位置決め孔２４が更に設けられ、前記取付台２０は、位置制限柱２５を更に備え、前記位置制限柱２５は、前記位置決め孔２４内に部分的に収容され、前記位置制限柱２５を回転させることで前記位置制限柱２５を前記取付溝２２内まで延在させ、その際前記位置制限柱２５が前記締め付け輪２１を押圧することにより、前記締め付け輪２１が前記中心軸１０を締め付けて前記中心軸１０をロックさせる。
【００２５】
本実施形態では、前記中心軸１０の前記取付台２０に対する位置（高さ）を調整する必要があるときに、前記位置制限柱２５を回転させることで前記位置制限柱２５を前記位置決め孔２４内に収容する。その際、前記位置制限柱２５が前記締め付け輪２１を押圧せず、前記中心軸１０が前記取付台２０に対して上下に摺動可能であり、前記中心軸１０を所定位置まで摺動させた後、前記位置制限柱２５を逆方向回転させることで前記位置制限柱２５を前記取付溝２２内に延在させる。その際、前記位置制限柱２５が前記締め付け輪２１を押圧することで、前記締め付け輪２１が前記中心軸１０を締め付けて前記中心軸１０をロックさせる。前記中心軸１０は、ロックされて前記取付台２０に対して上下に摺動できない。
【００２６】
更に、前記取付台２０は、取付柱２６とねじり部２７を更に備え、前記取付柱２６は、前記位置決め孔２４内に固定取付され、前記位置制限柱２５は、前記取付柱２６を貫通して前記取付柱２６にネジ接続され、前記位置制限柱２５は、前記締め付け輪２１の一端から離間して前記ねじり部２７に固定接続される。
【００２７】
本実施形態では、前記位置制限柱２５は、前記取付柱２６を貫通して前記取付柱２６にネジ接続される。ネジ接続の採用により、前記位置制限柱２５の回転時における抵抗感がより良好になる。前記ねじり部２７をねじることにより、前記位置制限柱２５の回転を駆動可能であり、使用が非常に便利になる。
【００２８】
更に、前記取付台２０は、位置制限板２８を更に備え、前記位置制限板２８は、前記取付台２０に固定取付され、前記中心軸１０は、前記位置制限板２８を貫通する。
【００２９】
本実施形態では、前記位置制限板２８は、ネジを介して前記取付台２０に固定接続され、前記中心軸１０は、前記位置制限板２８を貫通し、前記位置制限板２８は、前記中心軸１０の前記取付台２０に対する回動を規制し、前記位置制限板２８により、前記中心軸１０は、前記取付台２０に対して上下に摺動するときに揺れることがない。
【００３０】
更に、前記中心軸１０は、接続台１２を更に備え、前記接続台１２の一端には、位置決め柱１２１が設けられ、前記位置決め柱１２１は、前記中心軸１０内に収容されて前記中心軸１０に固定接続され、前記接続台１２には、ネジ１２２および取付穴１２３が更に設けられている。
【００３１】
本実施形態では、前記位置決め柱１２１は、前記接続台１２に固定接続され、前記ネジ１２２は、前記接続台１２に固定接続され、前記ネジ１２２と前記取付穴１２３は、外部の機器、例えば、雲台、カメラ等を取り付けるために用いられる。
【００３２】
更に、前記中心軸１０は、フック１３と位置決め台１４を更に備え、前記位置決め台１４は、前記中心軸１０内に部分的に収容されて前記中心軸１０に固定接続され、前記フック１３の一端は、前記位置決め台１４に可動的に接続される。
【００３３】
本実施形態では、前記フック１３の一端は、前記位置決め台１４に可動的に接続され、前記フック１３は、前記位置決め台１４に対して自由回動可能であり、前記フック１３は、異なる方向の懸架使用の需要を満たすことができる。
【００３４】
更に、前記中心軸１０は、位置決めブロック１５と接続柱１６を更に備え、前記位置決めブロック１５は、前記位置決め台１４にネジ接続され、前記位置決めブロック１５には、位置制限溝１５１が設けられ、前記接続柱１６は、前記位置制限溝１５１内に収容されて前記位置制限溝１５１に係合され、前記接続柱１６は、前記位置決め台１４の一端から離間して前記フック１３に固定接続される。
【００３５】
本実施形態では、前記位置決めブロック１５が前記位置決め台１４にネジ接続されたときに、前記位置決め台１４が前記位置制限溝１５１を遮蔽し、前記接続柱１６が前記位置制限溝１５１内に収容されて前記位置制限溝１５１に係合され、前記接続柱１６が前記位置制限溝１５１内で自由回動可能であり、前記接続柱１６が前記位置決め台１４の一端から離間して前記フック１３に固定接続されることにより、前記フック１３が前記位置決め台１４に対して自由回動可能である。その際、前記フック１３は、前記位置制限溝１５１内に部分的に収容され、前記フック１３は、異なる方向の懸架使用の需要を満たすことができる。
【００３６】
更に、前記支持足３０は、締め付け部材３１を更に備え、前記締め付け部材３１は、前記支持足３０を貫通した後で前記取付台２０内まで延在し、前記締め付け部材３１は、前記取付台２０に固定接続される。
【００３７】
本実施形態では、前記締め付け部材３１が前記支持足３０に可動的に接続されることにより、前記支持足３０と前記取付台２０とが可動的な接続を形成し、前記支持足３０は、前記取付台２０に対して回動することで展開または収納可能である。
【００３８】
無論、本発明は、他の複数種の実施形態があり得る。当業者が本実施形態に基づいて如何なる進歩性に値する労働もせずになした他の実施形態は、何れも本発明の保護範囲に含まれる。
【図１】
2020204758.tif 000003
【図２】
2020204758.tif 000004
【図３】
2020204758.tif 000005
【図４】
2020204758.tif 000006
【図５】
2020204758.tif 000007
【図６】
2020204758.tif 000008
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
三脚台であって、
前記三脚台は、中心軸、取付台および支持足を備え、
前記中心軸は、前記取付台を貫通して前記取付台に可動的に接続され、前記中心軸は、前記取付台に対して摺動可能であり、前記支持足は、前記取付台に可動的に接続され、前記支持足は、前記取付台に対して回動することで展開または収納可能であり、前記中心軸には、収納溝が設けられ、前記支持足を収納するときには、前記支持足を回動させることで前記支持足を前記収納溝内に収容することを特徴とする三脚台。
【請求項２】
前記取付台は、締め付け輪を更に備え、前記取付台には、取付溝が更に設けられ、前記締め付け輪は、前記取付溝内に収容され、前記中心軸は、前記締め付け輪を貫通し、前記締め付け輪は、前記中心軸の外側に嵌合されていることを特徴とする請求項１に記載の三脚台。
【請求項３】
前記取付台には、前記取付溝に連通する位置制限孔が更に設けられ、前記中心軸は、前記位置制限孔と前記取付溝とを順次貫通することで前記取付台を貫通し、前記位置制限孔は、前記中心軸の回動を規制することを特徴とする請求項２に記載の三脚台。
【請求項４】
前記取付台には、前記取付溝に連通する位置決め孔が更に設けられ、前記取付台は、位置制限柱を更に備え、前記位置制限柱は、前記位置決め孔内に部分的に収容され、
前記位置制限柱を回転させることで前記位置制限柱を前記取付溝内まで延在させ、その際前記位置制限柱が前記締め付け輪を押圧することにより、前記締め付け輪が前記中心軸を締め付けて前記中心軸をロックさせることを特徴とする請求項２に記載の三脚台。
【請求項５】
前記取付台は、取付柱とねじり部とを更に備え、前記取付柱は、前記位置決め孔内に固定取付され、前記位置制限柱は、前記取付柱を貫通して前記取付柱にネジ接続され、前記位置制限柱は、前記締め付け輪の一端から離間して前記ねじり部に固定接続されていることを特徴とする請求項４に記載の三脚台。
【請求項６】
前記取付台は、位置制限板を更に備え、前記位置制限板は、前記取付台に固定取付され、前記中心軸は、前記位置制限板を貫通することを特徴とする請求項１に記載の三脚台。
【請求項７】
前記中心軸は、接続台を更に備え、前記接続台の一端には、位置決め柱が設けられ、前記位置決め柱は、前記中心軸内に収容されて前記中心軸に固定接続され、前記接続台には、ネジと取付穴とが更に設けられていることを特徴とする請求項１に記載の三脚台。
【請求項８】
前記中心軸は、フックと位置決め台とを更に備え、前記位置決め台は、前記中心軸内に部分的に収容されて前記中心軸に固定接続され、前記フックの一端は、前記位置決め台に可動的に接続されていることを特徴とする請求項１に記載の三脚台。
【請求項９】
前記中心軸は、位置決めブロックと接続柱とを更に備え、前記位置決めブロックは、前記位置決め台にネジ接続され、前記位置決めブロックには、位置制限溝が設けられ、前記接続柱は、前記位置制限溝内に収容されて前記位置制限溝に係合され、前記接続柱は、前記位置決め台の一端から離間して前記フックに固定接続されていることを特徴とする請求項８に記載の三脚台。
【請求項１０】
前記支持足は、締め付け部材を更に備え、前記締め付け部材は、前記支持足を貫通した後で前記取付台内まで延在し、前記締め付け部材は、前記取付台に固定接続されていることを特徴とする請求項１に記載の三脚台。